(57)【要約】【課題】各個人にとって最適かつ的確なる栄養指導を行い、各個人が病気になることを未然に防ぐシステムの方法を提案すること。【解決手段】インターネットを介して、各個人と栄養指導支援システムとが情報のやりとりをし、各個人にとって最適かつ的確なる栄養指導を行う事により、各個人の生活状態を管理し病気になることを未然に防ぐシステムを提案するものである。【選択図】　　　図２
2004013888.tif 000002
【特許請求の範囲】
【請求項１】
栄養指導支援システムのホームページにインターネットを介して接続することにより、各個人の体質、生活習慣に合った栄養指導をすることを特徴とする栄養指導支援システム。
【請求項２】
全国各地にある、病院、薬局、薬店、あるいは個人宅、等より栄養指導支援システムのホームページに、インターネットを介して個人情報を送信し、その個人情報のそれぞれにおいて適切な栄養指導情報をインターネットを介して返信することを特徴とする栄養指導支援システム。
【請求項３】
インターネットを介して、個人の生活習慣情報を収集し分析することにより、各個人の健康状況を分析し病気になることを未然に防ぐ為の栄養指導をすることを特徴とする栄養指導支援システム。
【請求項４】
インターネットを介した栄養指導を通じて、各個人の健康管理のために最適なる商品の選択をし、各個人よりの受注を受け商品を配送することを特徴とする栄養指導支援システム。
【発明の詳細な説明】
【０００１】
【発明の属する技術分野】
本発明は、インターネットを介して各個人の生活習慣、食生活、体質を情報として入手し分析することによって、各個人に合った栄養指導を提案することにより病気になることを未然に防ぐことを特徴とする栄養指導支援システムに適用して有効な技術に関するものである。
【０００２】
【従来の技術】
従来の方法として、薬局、薬店、等が独自に個人の健康情報のみを、聞き取り調査をし、指導することが行われている。
【０００３】
【発明が解決しようとする課題】
前述した様な従来の方法については、個人の情報について時系列で管理することが出来ない。また、各薬局、薬店、等の提供する情報のみに頼っている為、対象となる個人に対してより多くの有益な情報を提供することが出来難いという欠点がある。また、各薬局、薬店、等ではいろいろな個人の要望に対応する為に、過剰な在庫をする必要があるという欠点がある。
【０００４】
本発明の目的は、上記問題を克服し、薬局、薬店、等においても対象となる各個人に対して、インターネットを介して対象となる個人の生活習慣、食生活、体質、を情報として提供し、栄養指導支援システムを用いて分析することにより対象個人にとって最適となる栄養指導の方法を情報として提供することにある。
また、配送センターより商品を送付することにより、各薬局、薬店、等の在庫を縮小することが出来ることにある。
【０００５】
【課題を解決する為の手段】
本発明は、インターネットを介して病院、薬局、薬店、あるいは個人宅、等より栄養指導支援システムのホームページに対象となる個人の生活状況、食習慣状況、等をパーソナルコンピューター、等の端末機器を通して接続し情報を提供する。栄養指導支援システムでは、各個人より情報として提供を受けた個人の情報を分析し、対象となる個人に対して生活習慣を改善するために最適な情報をインターネットを介して返信提供することが可能となる。
【０００６】
各個人に対する情報として栄養指導支援システムより提供される物の種類は、生活習慣改善の為の食品、医薬品、健康食品、運動器具、運動システム、等があげられ、各対象となる個人は、各個人の好みに応じて対象となる個人にとって最適と思われる内容物を選択する事が可能となる。
また、インターネットを介して各個人が要望する商品の受注を受け、即時に配送センターより多岐多様にわたる商品を配送することにより、各薬局、薬店、等では自店で不特定多数の個人が要望する商品を在庫負担することが必要なくなり、効率的な店舗展開が可能となる。
対象となる各個人にとって有益であることは、栄養指導支援システムより提供される情報の質および量が、多岐にわたり対象となる個人にとって最適と思われる選択肢が多くあることである。
【０００７】
インターネットを介して栄養指導支援システムのホームページに接続するための端末機器は、パーソナルコンピューター、テレビ、電話、等インターネットに接続可能な機器であれば種類を問わない。
【０００８】
各対象となる個人の情報については、栄養指導支援システムにてコンピューター処理されるため、対象となる個人の時系列情報を集積しておくことが可能となり、各対象となる個人における健康状態の推移を解析することが出来、各対象となる個人の体調の変化を事前に解析することにより、適切な栄養指導を行うことが可能となり病気の発生を未然に防ぐことが可能となる。
【０００９】
【発明の実施の形態】
以下に図面を参照して、本発明の方法を適用したシステムを説明する。本実施形態のインターネットを利用した栄養指導支援システムについての基本的な考え方についてまず図１を用い説明する。
【００１０】
図１に示す様に、本実施形態の基本的な考え方には、個人Ａ１からＡＮと、個人宅Ｂ１と、病院Ｂ２と、薬局Ｂ３と、薬店Ｂ４と、インターネットＣと、栄養指導支援システムＤと、在庫配送センターＥとを示している。
【００１１】
まず個人Ａ１からＡＮは、病院Ｂ２、あるいは薬局Ｂ３、あるいは薬店Ｂ４より、インターネットＣを介して、また個人宅Ｂ１は直接インターネットＣを介して、各個人特有の生活習慣、体質、等の情報を栄養指導支援システムに送信する。
栄養指導支援システムＤでは、各個人Ａ１からＡＮおよび個人宅Ｂ１、等より送信されてきた各個人の生活習慣、体質、等の情報を分析する。
栄養指導支援システムＤで分析の結果、各個人Ａ１からＡＮおよび個人宅Ｂ１について、各対象となる個人の生活状況の中で不足しがちな栄養成分、栄養状況、健康状態、等が判明する。
栄養指導支援システムＤからは、各個人Ａ１からＡＮおよび個人宅Ｂ１に対して、分析した結果をインターネットＣを介して情報として返信する。
また、情報の返信の際に、各対象となる個人Ａ１からＡＮおよび個人宅Ｂ１が体調の維持、健康管理の維持の為に必要な商品の情報も併せて返信するものである。
【００１２】
その際必要に応じて、各個人Ａ１からＡＮおよび個人宅Ｂ１が自己管理の為の商品の購入を希望した場合、希望した各個人Ａ１からＡＮおよび個人宅Ｂ１は、インターネットＣを介して、商品の購入申し込みを栄養指導支援システムＤに行う。
各個人Ａ１からＡＮおよび個人宅Ｂ１よりの注文を受けた栄養指導支援システムＤでは、在庫配送センターＥに対して受注した商品の情報を提供し、情報を受信した在庫配送センターＥでは、その情報に基づいて商品を各個人Ａ１からＡＮおよび個人宅Ｂ１に対して発送するものである。
【００１３】
また、各個人Ａ１からＡＮおよび個人宅Ｂ１は、インターネットＣを介して栄養指導支援システムＤに接続することにより、各個人Ａ１からＡＮおよび個人宅Ｂ１の時系列で蓄積されてきている各個人Ａ１からＡＮおよび個人宅Ｂ１の分析された情報を確認できるものである。
各個人Ａ１からＡＮおよび個人宅Ｂ１は、分析された情報を知ることにより、病気になる事を未然に防ぐ事ができるものである。
【００１４】
図２は、本実施形態のインターネットを利用した栄養指導支援システムの概略構成を示す図である。
図２に示す様に、本実施形態のインターネットを利用した栄養指導支援システムは、個人Ａ１からＡＮと、個人宅Ｂ１と、病院Ｂ２と、薬局Ｂ３と、薬店Ｂ４と、インターネットＣと、ホームページ映像受信システムＤ１と、栄養指導支援システムＥ１と、在庫配送センターシステムＦ１とを有している。
【００１５】
ホームページ映像受信システムＤ１は、インターネットＣを介して個人宅Ｂ１、および病院Ｂ２、または薬局Ｂ３、または薬店Ｂ４を介して、個人Ａ１からＡＮと栄養指導支援システムＥ１とを接続するシステムであり、またホームページ上の映像を管理するシステムである。
栄養指導支援システムＥ１はホームページ映像受信システムＤ１と、在庫配送センターＦ１を接続するシステムであり、また個人Ａ１からＡＮ、または個人宅Ｂ１よりインターネットＣを介して送信されてくる各種の情報を分析、蓄積し、各個人Ａ１からＡＮおよび個人宅Ｂ１にとって的確な栄養管理や栄養状況、等の情報を提供するシステムである。
在庫配送センターシステムＦ１は、商品の在庫数量、および商品の発送、等を管理するシステムである。
【００１６】
また、本実施形態のホームページ映像受信システムＤ１は、通信装置Ｄ１１と、処理装置Ｄ１２と、映像発信装置Ｄ１３とを有している。
通信装置Ｄ１１は、インターネットＣを介して個人宅Ｂ１および、病院Ｂ２、または薬局Ｂ３、または薬店Ｂ４経由、各個人Ａ１からＡＮと栄養指導支援システムＥ１との情報の送受信を行う装置である。
処理装置Ｄ１２は、ホームページ映像受信システムＤ１全体の動作を制御する装置であり、映像発信装置Ｄ１３はホームページ上の映像を管理する装置である。
【００１７】
また、本実施形態の栄養指導支援システムＥ１は、通信装置Ｅ１１と、処理装置Ｅ１２と、入力装置Ｅ１３と、記憶装置Ｅ１４と、分析装置Ｅ１５とを有している。通信装置Ｅ１１はホームページ映像受信システムＤ１との情報の送受信および在庫配送センターＦ１との情報の送受信を行う装置である。
処理装置Ｅ１２は、栄養指導支援システムＥ１全体の動作を制御する装置であり、入力装置Ｅ１３は栄養指導支援システムＥ１に対しての各個人Ａ１からＡＮおよび個人宅Ｂ１の各種の情報等を入力する装置である。
記憶装置Ｅ１４は、体脂肪測定管理テーブルＥ１４Ａと、生化学検査管理テーブルＥ１４Ｂを有する装置である。
【００１８】
体脂肪測定管理テーブルＥ１４Ａは、各個人における身長、体重、体脂肪率、脂肪重量、肥満度、等を測定日別に格納するテーブルであり、また各種のデータを時系列的に分析することにより、体脂肪率の変化、等における健康状態の変化を事前に解析し、病気になることを未然に防ぐ為の情報を提供するテーブルである。
生化学検査管理テーブルＥ１４Ｂは、身長、体重、血圧、血糖値、等の生化学検査後の情報を測定日別に格納するテーブルであり、また各種の生化学検査のデータを時系列的に分析することにより、健康状態の変化を事前に解析し病気になることを未然に防ぐ為の情報を提供するテーブルである。
【００１９】
また、本実施形態の分析装置Ｅ１５は、モデル献立管理テーブルＥ１５Ａと、食事指示管理テーブルＥ１５Ｂと、栄養評価管理テーブルＥ１５Ｃと、食品検索管理テーブルＥ１５Ｄと、総合指示管理テーブルＥ１５Ｅと、食物摂取量入力管理テーブルＥ１５Ｆと、生活動向調査内容入力管理テーブルＥ１５Ｇと、問診内容入力管理テーブルＥ１５Ｈと、個人内容登録管理テーブルＥ１５Ｉとを有する装置である。
【００２０】
モデル献立管理テーブルＥ１５Ａは、各個人Ａ１からＡＮおよび個人宅Ｂ１が、日々の健康管理の為に必要な、食事におけるモデル献立を提案するテーブルであり、朝食、昼食、夕食の種類および量、等のデータを格納するテーブルである。食事指示管理テーブルＥ１５Ｂは、各個人Ａ１からＡＮおよび個人宅Ｂ１が、日々の健康管理の為に必要な食事の種類を提案するテーブルであり、１日あたりの食事の種類と量、等のデータを格納するテーブルである。
【００２１】
栄養評価管理テーブルＥ１５Ｃは、各個人Ａ１からＡＮおよび個人宅Ｂ１が日々の健康管理の為に必要な栄養成分および栄養成分の不足数値を情報として提供するテーブルであり、栄養成分および１日あたりの摂取数値、摂取不足分の数値、等のデータを格納するテーブルである。
食品管理テーブルＥ１５Ｄは、各個人Ａ１からＡＮおよび個人宅Ｂ１が、日々の健康管理の為に必要な食品の種類を提案するテーブルであり、食品の種類と栄養成分不足分に対しての補充要望数値、等のデータを格納するテーブルである。
【００２２】
総合指示管理テーブルＥ１５Ｆは、各個人Ａ１からＡＮおよび個人宅Ｂ１が日々の健康管理の為に必要な運動の種類、栄養成分の種類、健康食品の種類、摂取食品の種類、等の情報を提案するテーブルであり、運動の種類、栄養成分の種類、健康食品の種類、摂取食品の種類、等のデータを格納するテーブルである。食物摂取量入力管理テーブルＥ１５Ｆは、各個人Ａ１からＡＮおよび個人宅Ｂ１の日々の生活習慣における各個人の朝食、昼食、夕食、および食事の内容、等の情報を入力する為のテーブルである。
【００２３】
生活動向調査内容入力管理テーブルＥ１５Ｇは、各個人Ａ１からＡＮおよび個人宅Ｂ１の日々の生活状況における各個人の行動の種類、時間、等のデータを入力するためのテーブルである。
問診内容入力管理テーブルＥ１５Ｈは、各個人Ａ１からＡＮおよび個人宅Ｂ１における各個人の既往症、自覚内容、家族歴、等のデータを入力する為のテーブルである。
個人内容登録管理テーブルＥ１５Ｉは、各個人Ａ１からＡＮおよび個人宅Ｂ１における生年月日、生化学データ、身長、体重、等のデータを入力する為のテーブルである。
【００２４】
また、本実施形態の在庫配送センターシステムＦ１は、通信装置Ｆ１１と、処理装置Ｆ１２と、記憶装置Ｆ１３と、入力装置Ｆ１４とを有している。
通信装置Ｆ１１は、栄養指導支援システムＥ１との間での情報の送受信を行う装置である。
処理装置Ｆ１２は、在庫配送センターシステムＦ１全体の動作を制御する装置であり、入力装置Ｆ１４は、在庫配送センターＦ１への商品の入出庫、等のデータを入力する装置である。
記憶管理装置Ｆ１３は、売上管理テーブルＦ１３Ａと、在庫管理テーブルＦ１３Ｂとを有する装置である。
売上管理Ｆ１３Ａは、商品の種類、単価、金額、等を出荷日別に格納するテーブルであり、在庫管理テーブルＦ１３Ｂは、商品名、入庫日、数量、出庫日、出荷数量、残高数量、等を日付別に格納するテーブルである。
【００２５】
図３は、本実施形態の食物摂取量入力管理テーブルＥ１３Ｆの一例を示す図である。
図３に示す様に、本実施形態の食物摂取量入力管理テーブルＥ１５Ｆは、時期フィールド３００と、食事の有無フィールド３０１と、食事の内容フィールド３０２と、数量フィールド３０３とを有している。
時期フィールド３００は、食事の時期を格納するフィールドであり、食事の有無フィールド３０１は、食事の有無を格納するフィールドであり、食事の内容フィールド３０２は、食べた食事の内容を格納するフィールドであり、数量フィールド３０３は、食事の内容における食べた数量を格納するフィールドである。
【００２６】
図４は、本実施形態の生活動向調査入力管理テーブルＥ１５Ｇの一例を示す図である。
図４に示す様に、本実施形態の生活動向調査入力管理テーブルＦ１５Ｇは、行動の種類フィールド４００と、時間フィールド４０１とを有している。
行動の種類フィールド４００は、行動の種類を格納するフィールドであり、時間フィールド４０１は、行動の種類における行動の時間を格納するフィールドである。
【００２７】
図５は、本実施形態の問診内容入力管理テーブルＥ１５Ｈの一例を示す図である。
図５に示す様に、本実施形態の問診内容入力管理テーブルＥ１５Ｈは、既往症フィールド５００と、家族歴フィールド５０１と、自覚内容フィールド５０２とを有している。既往症フィールド５００は、各個人の既往症内容について格納するフィールドであり、家族歴フィールド５０１は、各個人の家族における病気症状を格納するフィールドであり、自覚内容フィールド５０２は、個人の体調に関する自覚内容を格納するフィールドである。
【００２８】
図６は、本実施形態の個人内容登録管理テーブルＥ１５Ｉの一例を示す図である。
図６に示す様に、本実施形態の個人内容登録管理テーブルＥ１５Ｉは、入力日フィールド６００と、生年月日フィールド６０１と、身長フィールド６０２と、体重フィールド６０３と、生化学項目フィールド６０４と、数値フィールド６０５と、体脂肪率フィールド６０６とを有している。
入力日フィールド６００は、データを入力した日を格納するフィールドであり、生年月日フィールド６０１は、個人の生年月日を格納するフィールドである。
身長フィールド６０２は、個人の身長データを格納するフィールドであり、体重フィールド６０３は、個人の体重を格納するフィールドあり、生化学項目フィールド６０４は、個人の生化学分析項目を格納するフィールドであり、数値フィールド６０５は、個人の生化学分析数値を格納するフィールドであり、体脂肪率フィールド６０６は、体脂肪率の数値を格納するフィールドである。
【００２９】
図７は、本実施形態のモデル献立管理テーブルＥ１５Ａの一例を示す図である。
図７に示す様に、本実施形態のモデル献立管理テーブルＥ１５Ａは、朝食の種類フィールド７００と、量フィールド７０１と、昼食のフィールド７０２と、量フィールド７０３と、夕食の種類フィールド７０４と、量フィールド７０５と、カロリー数値フィールド７０６とを有している。
朝食の種類フィールド７００は、各個人が摂取するのに理想的な朝食の種類を、格納するフィールドであり、量フィールド７０１は、個人が摂取するのに理想的な朝食の量を格納するフィールドであり、昼食の種類フィールド７０２は、個人が摂取するのに理想的な昼食の種類を格納するフィールドであり、量フィールド７０３は、個人が摂取するのに理想的な昼食の量を格納するフィールドであり、夕食の種類フィールド７０４は、個人が摂取するのに理想的な夕食の種類を格納するフィールドであり、量フィールド７０５は、個人が摂取するのに理想的な夕食の量を格納するフィールドであり、カロリー数値フィールド７０６は個人が摂取するのに理想的なカロリー数値を格納するフィールドである。
【００３０】
図８は、本実施形態の食事指示管理テーブルＥ１５Ｂの一例を示す図である。図８に示す様に、本実施形態の食事指示管理テーブルＥ１５Ｂは、種類フィールド８００と、１日あたりの数量フィールド８０１とを有している。
種類フィールド８００は、個人が１日に摂取する理想的な食事の内容を格納するフィールドであり、１日あたりの数量フィールド８０１は、個人が１日に摂取する理想的な食事内容における摂取すべき理想的な数量を格納するフィールドである。
【００３１】
図９は、本実施形態の栄養評価管理テーブルＥ１５Ｃの一例を示す図である。図９に示す様に、本実施形態の栄養評価管理テーブルＥ１５Ｃは、栄養成分フィールド９００と、１日あたりの摂取数値フィールド９０１と、過不足栄養成分フィールド９０２と、摂取不足分の数値フィールド９０３とを有している。
栄養成分フィールド９００は、個人が１日あたりに摂取している栄養成分の種類を格納するフィールドであり、１日あたりの摂取数値フィールド９０１は、個人が１日あたりに摂取している栄養成分種類別における数値を格納するフィールドであり、過不足栄養成分フィールド９０２は、個人が１日あたりに摂取すべきである理想的な栄養成分の種類を格納するフィールドであり、摂取不足分の数値フィールド９０３は、個人が１日あたりに摂取すべき理想的な各栄養成分の過不足数量を格納するフィールドである。
【００３２】
図１０は、本実施形態の食品検索管理テーブルＥ１５Ｄの一例を示す図である。図１０に示す様に、本実施形態の食品検索管理テーブルＥ１５Ｄは、食品の種類フィールド１０００と、栄養成分不足に対しての補充要望数値フィールド１００１と、必要成分検査項目フィールド１００２とを有している。
食品の種類フィールド１０００は、個人が健康維持を行う上でその個人にとって理想的な食品の種類を格納するフィールドであり、栄養成分不足分に対しての補充要望数値フィールド１００１は、個人が健康維持を行う上で必要となる栄養成分の不足分に対する補充すべき栄養成分の数値を格納するフィールドであり、必要成分検査項目フィールド１００２は、個人にとって必要となる栄養成分の各種類を格納するフィールドである。
【００３３】
図１１は、本実施形態の総合指示管理テーブルＥ１５Ｅの、一例を示す図である。図１１に示す様に本実施形態の総合指示分析管理テーブルＥ１５Ｅは、推奨運動の種類フィールド１１００と、時間フィールド１１０１と、推奨摂取栄養成分フィールド１１０２と、数値フィールド１１０３と、推奨健康食品の種類フィールド１１０４と、数量フィールド１１０７とを有している。
推奨運動の種類フィールド１１００は、個人が理想的に健康維持するために必要な運動の時間を格納するフィールドであり、推奨摂取栄養成分フィールド１１０２は、個人が理想的に健康を維持するために必要な栄養成分の項目を格納するフィールドであり、数値フィールド１１０３は、個人が理想的に健康を維持するために必要な栄養成分の数値を格納するフィールドであり、推奨健康食品の種類フィールド１１０４は、個人が理想的に健康を維持するために推奨される健康食品の種類を格納するフィールドであり、数量フィールド１１０５は、個人が理想的に健康を維持するために推奨される健康食品の摂取すべき数量を格納するフィールドであり、推奨摂取食品の種類フィールド１１０６は、個人が理想的に健康を維持するために推奨される食品の種類を格納するフィールドであり、数量フィールド１１０７は、個人が理想的に健康を維持するために推奨される食品の摂取数量を格納するフィールドである。
【００３４】
図１２は、本実施形態の体脂肪測定管理テーブルＥ１４Ａの一例を示す図である。図１２に示す様に、本実施形態の体脂肪測定管理テーブルＥ１４Ａは、測定日フィールド１２００と、身長フィールド１２０１と、体重フィールド１２０２と、体脂肪フィールド１２０３と、脂肪重量フィールド１２０４と、肥満度フィールド１２０５と、総合評価フィールド１２０６とを有している。
測定日フィールド１２００は、体脂肪等の数値を測定した日を格納するフィールドであり、身長フィールド１２０１は、測定者個人の身長の数値を格納するフィールドであり、体重フィールド１２０２は、測定者個人の体重の数値を格納するフィールドであり、体脂肪率フィールド１２０３は、測定者個人の体脂肪率の数値を格納するフィールドであり、脂肪重量フィールド１２０４は、測定者個人の脂肪重量数値を格納するフィールドであり、肥満度フィールド１２０５は、測定者個人の肥満度数値を格納するフィールドであり、総合評価フィールド１２０６は、各個人の時系列における体脂肪率、等の各データを解析したうえで、病気を未然に防ぐためのアドバイス、等を総合評価として格納するフィールドである。
【００３５】
図１３は、本実施形態の生化学検査管理テーブルＥ１４Ｂの一例を示す図である。図１３に示す様に、生化学検査管理テーブルＥ１４Ｂは、測定日フィールド１３００と、身長フィールド１３０１と、体重フィールド１３０２と、血圧フィールド１３０３と、血糖値フィールド１３０４と、総合評価フィールド１３０５とを有している。
測定日フィールド１３００は、血糖値等の数値を測定した日付を格納するフィールドであり、身長フィールド１３０１は、測定者個人の身長の数値を格納するフィールドであり、体重フィールド１３０２は、測定者個人の体重数値を格納するフィールドであり、血圧フィールド１３０３は、測定者個人の血圧数値を格納するフィールドであり、血糖値フィールド１３０４は、測定者の個人の血糖値数値を格納するフィールドであり、総合評価フィールド１３０５は、測定者個人の生化学検査項目および数値の値を時系列で管理、解析したうえで、測定者個人の病気を防ぐためのアドバイス、等を総合評価として格納するフィールドである。
【００３６】
図１４は、本実施形態の売上管理テーブルＦ１３Ａの一例を示す図である。
図１４に示す様に、売上管理テーブルＦ１３Ａは、出荷日フィールド１４００と、商品の種類フィールド１４０１と、単価フィールド１４０２と、金額フィールド１４０３とを有している。
出荷日フィールド１４００は、商品の出荷日を格納するフィールドであり、商品の種類フィールド１４０１は、販売される商品の種類を格納するフィールドであり、単価フィールド１４０２は、販売される商品の単価を格納するフィールドであり、金額フィールド１４０３は、販売される商品ごとの販売金額を格納するフィールドである。
【００３７】
図１５は、本実施形態の在庫管理テーブルＦ１３Ｂの一例を示す図である。
図１５に示す様に、在庫管理テーブルＦ１３Ｂは、商品名フィールド１５００と、入庫日フィールド１５０１と、入庫数量フィールド１５０２と、出庫日フィールド１５０３と、出庫数量フィールド１５０４と、残高数量フィールド１５０５と、日付フィールド１５０６とを有している。
商品名フィールド１５００は、在庫商品の商品名を格納するフィールドであり、入庫日フィールド１５０１は、商品の入庫した日付を格納するフィールドであり、入庫数量フィールド１５０２は、商品の入庫した数量を格納するフィールドであり、出庫日フィールド１５０３は、商品が出庫された日付を格納するフィールドであり、出庫数量フィールド１５０４は、商品の出庫された数量を格納するフィールドであり、残高数量フィールド１５０５は、在庫として残っている数量を格納するフィールドであり、日付フィールド１５０６は、在庫数量を確認するための日付を格納するフィールドである。
【００３８】
尚、それぞれの各処理装置には、パーソナルコンピューターやワークステーションが用いられ、記憶装置Ｅ１４および記憶装置Ｆ１３には、通常の磁気ディスクが用いられるものとする。
【００３９】
図１６は、本実施形態のインターネットを利用した栄養指導支援システムの処理手順を示すフローチャートである。
すなわち、ステップ１６００では、個人宅Ｂ１より、インターネットを介して栄養指導支援システムのホームページに接続し、個人宅Ｂ１と栄養指導支援システムとの間であらかじめ取り決められているパスワードを用いることにより、栄養指導支援システムと完全に接続される。
【００４０】
ステップ１６０１では、個人宅Ｂ１より個人の有している食習慣や生活習慣、等の個人情報についてインターネットを介して個人宅Ｂ１より、栄養指導支援システムに送信されるものである。個人宅Ｂ１より送信される各種情報は、栄養指導支援システムのホームページに表示される食物摂取量入力管理テーブルや、生活動向調査内容入力管理テーブル、問診内容入力管理テーブル、個人内容登録管理テーブル、等の指示に従って、個人が数値、等の情報を入力していくものである。
【００４１】
ステップ１６０２では、個人宅Ｂ１より送信された個人の生活習慣、食習慣、等の情報に基づいて分析し、個人の健康状況や不足している栄養成分、等の情報を解析するものである。
【００４２】
ステップ１６０３では、その都度送信されてくる個人宅Ｂ１よりの生活習慣、食習慣、等の情報を栄養指導支援システムにて時系列に蓄積、保存するものである。
【００４３】
ステップ１６０４では、個人宅Ｂ１より送信され蓄積保存している情報を、栄養指導支援システムにて分析し、個人宅Ｂ１の個人が時系列的にどのような健康推移となっているかを解析するものである。
この時系列による分析により、将来病気になりうることを未然に防ぐための情報を得ることができるものである。
【００４４】
ステップ１６０５では、栄養指導支援システムにて個人宅Ｂ１より提供された情報を分析した結果について、インターネットを介して栄養指導支援システムより、個人宅Ｂ１に返信するものである。
【００４５】
ステップ１６０６では、個人宅Ｂ１にて個人にとって、健康を維持していく上での情報を入手するものである。
ステップ１６０７では、個人宅Ｂ１にて入手した情報の中から取捨選択をして、個人宅Ｂ１にとって最適のものを選定することを行う。
【００４６】
ステップ１６０８では、栄養指導支援システムより送信されてきた情報の中から個人が商品を購入すると考えた場合には、ステップ１６０９に移り、購入しないと考えた場合にはステップ１６１１に移る。
ステップ１６０９では、個人が取捨選択した情報の中から自分に最適な商品を購入するためにインターネットを介して栄養指導支援システムに商品購入の意志を伝達するものである。
ステップ１６１０では、個人宅Ｂ１より、インターネットを介して送信されてきた商品注文の状況に応じて、在庫配送センターより要望された商品を配送するものである。
【００４７】
以上説明した様に、本実施形態のインターネットを利用した栄養指導支援システムによれば、各個人が自分の健康状態の把握を的確にすることができ、病気になることを未然に防ぐことが可能となる。
また、薬局、薬店、等についても、各個人に対して最適なる商品の選択を簡易に行うことが出来、各個人に販売する商品を幅広く在庫することの必要性がなくなり、在庫負担量を減らす事ができるものである。
【００４８】
以上、本発明を前記実施形態に基づき具体的に説明したが、本発明は、前記実施形態に限定されるものではなく、その要旨を逸脱しない範囲において種々変更可能であることは勿論である。
【００４９】
【発明の効果】
本発明によれば、インターネットを介して栄養指導支援システムに接続し、各個人にとっての最適なる健康維持のための情報を的確に得ることが出来るものであり、各個人にとって病気になることを未然に防ぐことが可能となる。
また、薬局、薬店、等についても各個人に対して的確なる健康維持のための情報を提供できる様になり、それに伴う健康維持のための商品を紹介できるものである。および販売するための商品の在庫数を抑えることが可能である。
【図面の簡単な説明】
【図１】本実施形態のインターネットを利用した栄養指導支援システムの基本的な考えを示す図である。
【図２】本実施形態のインターネットを利用した栄養指導支援システムの概略構成を示す図である。
【図３】本実施形態の食物摂取量入力管理テーブルＥ１３Ｆの一例を示す図である。
【図４】本実施形態の生活動向調査入力管理テーブルＥ１５Ｇの一例を示す図である。
【図５】本実施形態の問診内容入力管理テーブルＥ１５Ｈの一例を示す図である。
【図６】本実施形態の個人内容登録管理テーブルＥ１５Ｉの一例を示す図である。
【図７】本実施形態のモデル献立管理テーブルＥ１５Ａの一例を示す図である。
【図８】本実施形態の食事指示管理テーブルＥ１５Ｂの一例を示す図である。
【図９】本実施形態の栄養評価管理テーブルＥ１５Ｃの一例を示す図である。
【図１０】本実施形態の食品検索管理テーブルＥ１５Ｄの一例を示す図である。
【図１１】本実施形態の総合指示管理テーブルＥ１５Ｅの一例を示す図である。
【図１２】本実施形態の体脂肪測定管理テーブルＥ１４Ａの一例を示す図である。
【図１３】本実施形態の生化学検査管理テーブルＥ１４Ｂの一例を示す図である。
【図１４】本実施形態の売上管理テーブルＦ１３Ａの一例を示す図である。
【図１５】本実施形態の在庫管理テーブルＦ１３Ｂの一例を示す図である。
【図１６】本実施形態のインターネットを利用した栄養指導支援システムの処理手順を示すフローチャートである。
【符号の説明】Ａ１・・個人、Ａ２・・個人、Ａ３・・個人、ＡＮ・・個人、Ｂ１・・個人宅、Ｂ２・・病院、Ｂ３・・薬局、Ｂ４・・薬店、Ｃ・・インターネット、Ｄ・・栄養指導支援システム、Ｅ・・在庫配送センター、Ｄ１・・ホームページ映像受信システム、Ｄ１１・・通信装置、Ｄ１２・・処理装置、Ｄ１３・・映像発信装置、Ｅ１・・栄養指導支援システム、Ｅ１１・・通信装置、Ｅ１２・・処理装置、Ｅ１３・・入力装置、Ｅ１４・・記憶装置、Ｅ１４Ａ・・体脂肪測定管理テーブル、Ｅ１４Ｂ・・生化学検査管理テーブル、Ｅ１５・・分析装置、Ｅ１５Ａ・・モデル献立管理テーブル、Ｅ１５Ｂ・・食事指示管理テーブル、Ｅ１５Ｃ・・栄養評価管理テーブル、Ｅ１５Ｄ・・食品検索管理テーブル、Ｅ１５Ｅ・・総合指示管理テーブル、Ｅ１５Ｆ・・食物摂取量入力管理テーブル、生活動向調査内容入力管理テーブル、Ｅ１５Ｈ・・問診内容入力管理テーブル、Ｅ１５Ｉ・・個人内容登録管理テーブル、Ｆ１・・在庫配送センターシステム、Ｆ１１・・通信装置、Ｆ１２・・処理装置、Ｆ１３・・記憶装置、Ｆ１３Ａ・・売上管理テーブル、Ｆ１３Ｂ・・在庫管理テーブル、Ｆ１４・・入力装置、３００・・時期フィールド、３０１・・食事の有無フィールド、３０２・・食事の内容フィールド、３０３・・数量フィールド、４００・・行動の種類フィールド、４０１・・時間フィールド、５００・・既往症フィールド、５０１・・家族歴フィールド、５０２・・自覚症状フィールド、６００・・入力日フィールド、６０１・・生年月日フィールド、６０２・・身長フィールド、６０３・・体重フィールド、６０４・・生化学項目フィールド、６０５・・数値フィールド、６０６・・体脂肪率フィールド、７００・・朝食の種類フィールド、７０１・・量フィールド、７０２・・昼食の種類フィールド、７０３・・量フィールド、７０４・・夕食の種類フィールド、７０５・・量フィールド、７０６・・カロリー数値フィールド、８００・・種類フィールド、８０１・・１日あたりの数量フィールド、９００・・栄養成分フィールド、９０１・・１日あたりの摂取数値フィールド、９０２・・過不足栄養成分フィールド、９０３・・摂取不足分の数値フィールド、１０００・・食品の種類フィールド、１００１・・栄養成分不足分に対しての補充要望数値フィールド、１００２・・必要成分検索項目フィールド、１１００・・推奨運動の種類フィールド、１１０１・・時間フィールド、１１０２・・推奨摂取栄養成分フィールド、１１０３・・数値フィールド、１１０４・・推奨健康食品の種類フィールド、１１０５・・数量フィールド、１１０６・・推奨摂取食品の種類、１１０７・・数量フィールド、１２００・・測定日フィールド、１２０１・・身長フィールド、１２０２・・体重フィールド、１２０３・・体脂肪率フィールド、１２０４・・脂肪重量フィールド、１２０５・・肥満度フィールド、１２０６・・総合評価フィールド、１３００・・測定日フィールド、１３０１・・身長フィールド、１３０２・・体重フィールド、１３０３・・血圧フィールド、１３０４・・血糖値フィールド、１３０５・・総合評価フィールド、１４００・・出荷日フィールド、１４０１・・商品の種類フィールド、１４０２・・単価フィールド、１４０３・・金額フィールド、１５００・・商品名フィールド、１５０１・・入庫日フィールド、１５０２・・入庫数量フィールド、１５０３・・出庫日フィールド、１５０４・・出庫数量フィールド、１５０５・・残高数量フィールド、１５０６・・日付フィールド。
【図１】
2004013888.tif 000003
【図２】
2004013888.tif 000004
【図３】
2004013888.tif 000005
【図４】
2004013888.tif 000006
【図５】
2004013888.tif 000007
【図６】
2004013888.tif 000008
【図７】
2004013888.tif 000009
【図８】
2004013888.tif 000010
【図９】
2004013888.tif 000011
【図１０】
2004013888.tif 000012
【図１１】
2004013888.tif 000013
【図１２】
2004013888.tif 000014
【図１３】
2004013888.tif 000015
【図１４】
2004013888.tif 000016
【図１５】
2004013888.tif 000017
【図１６】
2004013888.tif 000018